(57)【要約】【課題】防水性を確保しながら容易に製作が可能な箱型筐体を得ること。【解決手段】箱型筐体１は、複数の面の内の隣接する上面２ａ及び右面２ｂのそれぞれの先端部以外の面部同士が互いに接触する接触部２４と、接触部２４に設けられ上面２ａ及び右面２ｂのそれぞれを接合する接合部２１と、上面２ａ及び右面２ｂのそれぞれの面部により形成される谷部２５と、谷部２５と接触部２４との間に形成される谷筋部４とを備えたことを特徴とする。【選択図】図２
2018110195.tif 000002
【特許請求の範囲】
【請求項１】
複数の面を組み合わせて構成され、内部に電気回路が収容される箱形筐体であって、
前記複数の面の内の隣接する２つ面のそれぞれの先端部以外の面部同士が互いに接触する接触部と、
前記接触部に設けられ前記２つ面のそれぞれを接合する接合部と、
前記２つ面のそれぞれの面部により形成される谷部と、
前記谷部と前記接触部との間に形成される谷筋部と
を備えたことを特徴とする箱型筐体。
【請求項２】
前記谷部と前記谷筋部とに設けられるコーキング材を備えることを特徴とする請求項１に記載の箱型筐体。
【請求項３】
前記谷筋部は、前記２つ面の内の一方の面の折曲部と、前記２つ面の内の他方の面の先端面との間に形成されることを特徴とする請求項１又は２に記載の箱型筐体。
【請求項４】
前記２つ面の内の一方の面の先端部と、前記２つ面の内の他方の面の先端部とは、前記箱型筐体の内部に設けられ、
前記接合部は、前記箱型筐体の内部に設けられ、前記一方の面の先端部と前記他方の面の先端部とを接合する接合部材を備えたことを特徴とする請求項１又は請求項２に記載の箱型筐体。
【発明の詳細な説明】
【技術分野】
【０００１】
本発明は、複数の板状の面部を組み合わせて構成され内部に電気回路が収容される箱形筐体に関する。
【背景技術】
【０００２】
太陽光発電システム又はＥＶ（Ｅｌｅｃｔｒｉｃ  Ｖｅｈｉｃｌｅ）充放電システムに用いられるパワーコンディショナは屋外に設置される電気機器の一例である。パワーコンディショナを構成する外箱には、昇降回路及びインバータユニットといった各種電気回路が内蔵されている。このようなパワーコンディショナが屋外に設置された場合、外箱の内部に雨水が進入することにより、各種電気回路が故障する可能性がある。そのためパワーコンディショナの外箱には、屋外に設置されることを想定して、雨水が侵入しないように各種の防水対策が講じられると共に、１０年又は１５年といった長期の使用に耐える様に腐食防止対策が講じられている。
【０００３】
特許文献１に開示される屋外設置機器の筐体は、開口部を有し電気回路が収納される収納箱である外箱と、外箱の開口部を塞ぐ蓋とによって構成されている。そして筐体には、外箱と蓋との間の隙間から筐体の内部に雨水が侵入しないように、防水対策が講じられる。ここで、特許文献１に開示される屋外設置機器の筐体では外箱自体の防水対策も重要である。特許文献１の外箱は、薄板の鋼板を複数箇所折り曲げて四角形状に形成したものである。四角形状に形成されて隣接する２つの薄板の先端部同士が突き合わせることにより一本の稜線部が形成される。この稜線部には溶接が隙間なく施される。これにより、筐体内部への雨水の浸入が抑制される。
【先行技術文献】
【特許文献】
【０００４】
【特許文献１】特開２００４−３１４８１号公報
【発明の概要】
【発明が解決しようとする課題】
【０００５】
しかしながら、特許文献１に開示される外箱では、意匠性を保ちながら防水性を確保するために、外箱の一本の稜線部に、均一に隙間なく溶接を行うと共に、防水用のコーキング材を施す必要がある。また特許文献１に開示される外箱では意匠性を高めるために、溶接後の表面を滑らかに仕上げ加工する必要である。従って、外箱の加工時間が長くなり、仕上げ加工にも高い精度が求められるため、歩留まりが悪く、製造コストが高くなるという問題がある。
【０００６】
本発明は、上記に鑑みてなされたものであって、防水性を確保しながら容易に製作が可能な箱型筐体を得ることを目的とする。
【課題を解決するための手段】
【０００７】
上述した課題を解決し、目的を達成するために、本発明の箱型筐体は、複数の面を組み合わせて構成され、内部に電気回路が収容される箱形筐体であって、複数の面の内の隣接する２つ面のそれぞれの先端部以外の面部同士が互いに接触する接触部と、接触部に設けられ２つ面のそれぞれを接合する接合部と、２つ面のそれぞれの面部により形成される谷部と、谷部と接触部との間に形成される谷筋部とを備えたことを特徴とする。
【発明の効果】
【０００８】
本発明によれば、防水性を確保しながら容易に製作ができる、という効果を奏する。
【図面の簡単な説明】
【０００９】
【図１】実施の形態に係る箱型筐体の斜視図
【図２】図１に示すＸＹ平面における接合部の断面図
【図３】図２に示される谷筋部にコーキング材を施すときの作業状態を示す図
【図４】実施の形態に係る収納箱の第１の変形例を示す図
【図５】実施の形態に係る収納箱の第２の変形例を示す図
【図６】実施の形態に係る収納箱の第３の変形例を示す図
【図７】実施の形態に係る収納箱の第４の変形例を示す図
【図８】実施の形態に係る収納箱の第５の変形例を示す図
【図９】実施の形態に係る収納箱の第６の変形例を示す図
【発明を実施するための形態】
【００１０】
以下に、本発明の実施の形態に係る箱型筐体を図面に基づいて詳細に説明する。なお、この実施の形態によりこの発明が限定されるものではない。
【００１１】
実施の形態．
図１は実施の形態に係る箱型筐体の斜視図である。図１に示す箱型筐体１は、不図示の電気回路を収容する屋外設置型筐体である。電気回路としては、太陽光発電システム又はＥＶ充放電システムに用いられるパワーコンディショナを例示できる。
【００１２】
箱型筐体１は、開口部２０を有し不図示の電気回路が収容される四角形状の収納箱２と、開口部２０を覆うように収納箱２の前側に取り付けられる四角形状の蓋３とを備える。収納箱２及び蓋３のそれぞれは金属材料で形成されている。具体的には、収納箱２及び蓋３のそれぞれは、０．８［ｍｍ］から２「ｍｍ」の厚みの鋼板を複数箇所折り曲げて四角形状に形成したものである。
【００１３】
収納箱２は、収納箱２の上側の板面である上面２ａと、収納箱２の右側の板面である右面２ｂと、収納箱２の下側の板面である下面２ｃと、収納箱２の左側の板面である左面２ｄと、収納箱２の後側の板面である背面２ｅとを備える。
【００１４】
図１では、右手系のＸＹＺ座標において、箱型筐体１の左面２ｄから箱型筐体１の右面２ｂに向かう方向をＸ軸方向とし、箱型筐体１の上側の上面２ａから箱型筐体１の下側の下面２ｃに向かう方向をＹ軸方向とし、箱型筐体１の前側の開口部２０から箱型筐体１の後側の背面２ｅに向かう方向をＺ軸方向とする。
【００１５】
箱型筐体１には、箱型筐体１が屋外に設置されることを想定して、雨水が侵入しないように各種の防水対策が講じられると共に、長期の使用に耐える様に腐食防止対策が講じられる。
【００１６】
収納箱２と開口部２０との間の縁部には、嵌合部２２が設けられている。嵌合部２２は、収納箱２の右面２ｂ、左面２ｄ、上面２ａ及び下面２ｃのそれぞれから、収納箱２の前側に突出する形状である。嵌合部２２と蓋３との少なくとも一方には、不図示の防水用パッキンが設置される。嵌合部２２に蓋３が嵌め合わされることにより、開口部２０が塞がれ、開口部２０から収納箱２内部への雨水の侵入が抑制される。
【００１７】
図１に示すＸＹ平面３０は、収納箱２の上面２ａと収納箱２の右面２ｂとの接合部２１を含み、かつ、箱型筐体１の背面２ｅと平行な面である。接合部２１は、スポット溶接、ネジ固定又はリベット固定により、上面２ａと右面２ｂとを接合し、又は上面２ａと左面２ｄとを接合した部分である。上面２ａと左面２ｄとの間には、Ｚ軸方向に延びる１本の谷筋部４が形成される。同様に、上面２ａと右面２ｂとの間には、Ｚ軸方向に延びる１本の谷筋部４が形成される。
【００１８】
以下では、ＸＹ平面３０において上面２ａと右面２ｂとの接合部２１を、Ｚ軸方向に見たときの構造について具体的に説明する。
【００１９】
図２は図１に示すＸＹ平面における接合部の断面図である。図２に示すように上面２ａは、Ｘ軸方向に延びる中間部２ａ１と、中間部２ａ１から収納箱２の下側に向かって直角に折り曲げられた折曲部２ａ２と、折曲部２ａ２から収納箱２の下側に向かって延びる延設部２ａ３とを備える。延設部２ａ３には、Ｘ軸方向に貫通する貫通孔２ａ３１が形成される。貫通孔２ａ３１は、折曲部２ａ２と、延設部２ａ３の先端部２ａ３２との間に形成される。
【００２０】
右面２ｂは、Ｙ軸方向に延びると共に上面２ａの延設部２ａ３と対向する中間部２ｂ１と、上面２ａの折曲部２ａ２よりも上側に突出する突出部２ｂ２とを備える。突出部２ｂ２は、コーキング材６を谷筋部４に均一に塗布するためのガイド部材として機能する。
【００２１】
中間部２ｂ１には貫通孔２ｂ１１が形成される。貫通孔２ｂ１１は、貫通孔２ａ３１と連通する位置において、Ｘ軸方向に貫通している。
【００２２】
貫通孔２ｂ１１と貫通孔２ａ３１とには、上面２ａと右面２ｂとを接合する接合部材２３が設けられる。貫通孔２ｂ１１、貫通孔２ａ３１及び接合部材２３により、接合部２１が形成される。接合部材２３としては、スポット溶接による溶接部と、ネジ固定による雄ネジ部と、リベット固定によるリベットとを例示できる。接合部材２３により相互に固定された上面２ａの延設部２ａ３と右面２ｂの中間部２ｂ１とは、互いに面接触する。これにより上面２ａの延設部２ａ３と右面２ｂの中間部２ｂ１との間に接触部２４が形成される。
【００２３】
上面２ａの中間部２ａ１の面部と右面２ｂの突出部２ｂ２との間には、谷部２５が形成される。すなわち上面２ａ及び右面２ｂのそれぞれの面部により谷部２５が形成される。上面２ａの面部は、上面２ａの表面の内、先端部２ａ３２を除く部分である。右面２ｂの面部は、右面２ｂの表面の内、右面２ｂのＹ軸方向における先端部を除く部分である。
【００２４】
谷部２５は、上面２ａの中間部２ａ１と右面２ｂの突出部２ｂ２との成す角度が直角となるように形成されている。図２では、上面２ａの中間部２ａ１と右面２ｂの突出部２ｂ２との成す角度が直角であるが、谷部２５の角度は、直角に限定されず、１８０°よりも小さい角度であれば、鈍角でもよいし、鋭角でもよい。
【００２５】
谷筋部４は、谷部２５と接触部２４との間に形成される。谷部２５にはコーキング材６が設けられている。コーキング材６は、上面２ａの外側の面部と、右面２ｂの中間部２ｂ１の外側の面部との間の接触部２４から、収納箱２内部に水が浸入することを防ぐための止水材である。
【００２６】
図３は図２に示される谷筋部にコーキング材を施すときの作業状態を示す図である。図３に示すように、右面２ｂの突出部２ｂ２と上面２ａとの間には、Ｚ軸方向に延びる１本の谷筋部４が形成される。
【００２７】
コーキング材６を塗布する際、コーキング材塗布用ノズル９は、その先端９ａが右面２ｂの突出部２ｂ２と上面２ａとの双方に接触した状態で、谷筋部４に沿ってＺ軸方向に移動される。このときコーキング材塗布用ノズル９から排出されたコーキング材６は、谷筋部４に連続的に塗布される。このように、右面２ｂの突出部２ｂ２と上面２ａとの双方にコーキング材塗布用ノズル９の先端９ａを接触させることで、安定してコーキング材６を谷筋部４に沿って連続的に塗布することが可能である。
【００２８】
コーキング材６を塗布する際、コーキング材塗布用ノズル９を利用するユーザは、コーキング材６が途切れることなく連続的に塗布でき、かつ、突出部２ｂ２のＹ軸方向における高さを超えない範囲で、コーキング材６の塗布量を調整すればよい。
【００２９】
上記特許文献１に開示される箱型筐体では、図３に示すような突出部２ｂ２が設けられていないため、コーキング材塗布用ノズル９を利用するユーザは、コーキング材６を谷筋部４に沿って途切れることなく塗布させるため、コーキング材６の塗布量を調整するだけでなく、コーキング材塗布用ノズル９の位置が谷筋部４からずれないようにコーキング材塗布用ノズル９を操作しなければならない。従って、コーキング材６を谷筋部４の全体に均一に塗布するためには、コーキング材塗布用ノズル９をＺ軸方向に複数回往復させる必要があり、相対的に作業時間が延びると共に、コーキング材６が谷筋部４からはみ出して、見た目が悪くなる場合がある。またコーキング材６が谷筋部４からはみ出した場合、コーキング後に箱型筐体に施される塗装が剥がれ易くなるという問題が生じる。このような問題を解消するためには、コーキング材６の塗布作業に極めて高いレベルの技術が要求されるため、コーキング材６の塗布作業が一部の熟練作業者に限れ、熟練作業者を活用できない場合には、高額な塗布装置を導入する必要がある。
【００３０】
なお、上記特許文献１に開示される箱型筐体において、谷筋部４にコーキング材６を塗布する代わりに溶接を施す場合、高い加工精度が要求されるため加工できる作業者が限られ、必要な生産数が確保できず、また箱型筐体の部品納期が遅延するといった問題がある。また溶接時に発生するスパッタと呼ばれる飛散物が外箱の表面に付着し、溶接後の塗装において、このスパッタにより塗装の表面外観不良及び塗装密着性不良が発生し、塗装品質を悪化させるという問題が生じる。
【００３１】
本実施の形態に係る収納箱２によれば、熟練作業者を活用することなく、また高額な塗布装置を導入することなく、収納箱２の防水性を確保できる必要最小限のコーキング材６を塗布でき、収納箱２の防水性を長期に渡り確保しながら信頼性を高めることができる。
【００３２】
なお、谷筋部４の内側にコーキング材６を塗布した場合、接合部２１の毛細管現象により、雨水が接合部２１を介して収納箱２の内部に浸入するおそれがある。本実施の形態に係る収納箱２では、収納箱２の外側にコーキング材６を塗布することができるため、接合部２１の毛細管現象による雨水の浸入を防止できる。また本実施の形態に係る収納箱２では、収納箱２の防水性を確保できる最小限のコーキング材６を収納箱２の外側に塗布することができるため、収納箱２に施される塗装が剥がれ易くなるという問題も解消できる。
【００３３】
以下では本実施の形態に係る収納箱２の変形例について説明する。
【００３４】
図４は実施の形態に係る収納箱の第１の変形例を示す図である。図４に示される収納箱２−１の上面２ａは、Ｘ軸方向に延びる中間部２ａ１と、中間部２ａ１から収納箱２−１の上側に向かって直角に折り曲げられた折曲部２ａ２と、折曲部２ａ２から収納箱２−１の上側に向かって延びる突出部２ａ４とを備える。中間部２ａ１には、Ｙ軸方向に貫通する貫通孔２ａ３１が形成される。
【００３５】
収納箱２−１の右面２ｂは、Ｙ軸方向に延びる中間部２ｂ１と、中間部２ｂ１から上面２ａ側に向かって直角に折り曲げられた折曲部２ｂ３と、折曲部２ｂ３から上面２ａに向かって延びる延設部２ｂ４とを備える。延設部２ｂ４には貫通孔２ｂ１１が形成される。貫通孔２ｂ１１は、貫通孔２ａ３１と連通する位置において、Ｙ軸方向に貫通している。
【００３６】
貫通孔２ｂ１１と貫通孔２ａ３１とには接合部材２３が設けられる。接合部材２３により相互に固定された上面２ａの中間部２ａ１と右面２ｂの延設部２ｂ４とは、互いに面接触する。これにより上面２ａの中間部２ａ１と右面２ｂの延設部２ｂ４との間に接触部２４が形成される。
【００３７】
上面２ａの突出部２ａ４の面部と右面２ｂの延設部２ｂ４の面部との間には、谷部２５が形成される。突出部２ａ４の面部は、突出部２ａ４の表面の内、突出部のＹ軸方向における先端部を除く部分である。延設部２ｂ４の面部は、延設部２ｂ４の表面の内、延設部２ｂ４のＸ軸方向における先端部を除く部分である。
【００３８】
谷部２５は、上面２ａの突出部２ａ４と右面２ｂの延設部２ｂ４との成す角度が直角となるように形成されている。図４では、上面２ａの突出部２ａ４と右面２ｂの延設部２ｂ４との成す角度が直角であるが、谷部２５の角度は、直角に限定されず、１８０°よりも小さい角度であれば、鈍角でもよいし、鋭角でもよい。
【００３９】
谷筋部４は、谷部２５と接触部２４との間に形成される。谷部２５にはコーキング材６が設けられている。
【００４０】
図４に示す収納箱２−１は、図２に示す収納箱２と同様の効果が得られると共に、収納箱２−１が設置される場所の空間的な制約がある場合でも、突出部２ａ４を設けることができる。
【００４１】
図５は実施の形態に係る収納箱の第２の変形例を示す図である。図５に示される収納箱２−２の上面２ａは、Ｘ軸方向に延びる中間部２ａ１を備え、中間部２ａ１の先端部２ａ５には、Ｙ軸方向に貫通する貫通孔２ａ３１が形成される。
【００４２】
収納箱２−２の右面２ｂは、Ｙ軸方向に延びる中間部２ｂ１と、中間部２ｂ１から上面２ａ側に向かって直角に折り曲げられた折曲部２ｂ３と、折曲部２ｂ３から上面２ａに向かって延びる延設部２ｂ４と、延設部２ｂ４から収納箱２−２の上側に向かって延びる突出部２ｂ５とを備える。延設部２ｂ４には、貫通孔２ａ３１と連通する位置において、Ｙ軸方向に貫通する貫通孔２ｂ１１が形成される。
【００４３】
貫通孔２ｂ１１と貫通孔２ａ３１とには接合部材２３が設けられる。接合部材２３により相互に固定された上面２ａの先端部２ａ５と右面２ｂの延設部２ｂ４とは、互いに面接触する。これにより上面２ａの先端部２ａ５と右面２ｂの延設部２ｂ４との間に接触部２４が形成される。
【００４４】
右面２ｂの突出部２ｂ５と上面２ａの中間部２ａ１との間には、谷部２５が形成される。谷筋部４は、谷部２５と接触部２４との間に形成される。谷部２５にはコーキング材６が設けられている。
【００４５】
図５に示す収納箱２−２は、図２に示す収納箱２と同様の効果が得られると共に、図４に示す収納箱２−１と同様の効果が得られる。さらに図５に示す収納箱２−２では、上面２ａの折り曲げ加工が不要になり、鋼板の曲げ加工の効率を向上させることができる。
【００４６】
図６は実施の形態に係る収納箱の第３の変形例を示す図である。図６に示される収納箱２−３の上面２ａは、Ｘ軸方向に延びる中間部２ａ１と、中間部２ａ１との成す角度が鈍角となるように折り曲げられた傾斜部２ａ６と、傾斜部２ａ６から収納箱２−３の下側に延びる延設部２ａ７とを備える。収納箱２−３には、傾斜部２ａ６が設けられているが、傾斜部２ａ６の代わりに、湾曲形状に形成された折曲部を設けてもよい。延設部２ａ７にはＸ軸方向に貫通する貫通孔２ａ３１が形成される。
【００４７】
収納箱２−３の右面２ｂには貫通孔２ｂ１１が形成される。貫通孔２ｂ１１と貫通孔２ａ３１とには接合部材２３が設けられる。接合部材２３により相互に固定された上面２ａの延設部２ａ７と右面２ｂの中間部２ｂ１とは、互いに面接触する。これにより上面２ａの延設部２ａ７と右面２ｂの中間部２ｂ１との間に接触部２４が形成される。
【００４８】
右面２ｂの先端部２ｂ１２と上面２ａの傾斜部２ａ６との間には、谷部２５が形成される。谷筋部４は、谷部２５と接触部２４との間に形成される。谷部２５にはコーキング材６が設けられている。
【００４９】
図６に示す収納箱２−３は、図２に示す収納箱２と同様の効果が得られると共に、図２に示す収納箱２に比べて突出部の長さを小さくできる。そのため収納箱２−３が設置される場所の空間的な制約がある場合でも、コーキング材６を均一に塗布するための谷部２５を設けることができる。また図２に示す収納箱２に比べて突出部が小さいため、収納箱２−３の意匠性が向上する。
【００５０】
図７は実施の形態に係る収納箱の第４の変形例を示す図である。図７に示される収納箱２−４の上面２ａは、Ｘ軸方向に延びる中間部２ａ１と、中間部２ａ１から収納箱２−４の下側に延設された延設部２ａ８と、延設部２ａ８から収納箱２−４の右側に向かって直角に折り曲げられた折曲部２ａ９と、折曲部２ａ９から収納箱２−４の右側に向かって延びる延設部２ａ１０とを備える。延設部２ａ１０には、Ｙ軸方向に貫通する貫通孔２ａ３１が形成される。
【００５１】
収納箱２−４の右面２ｂは、Ｙ軸方向に延びる中間部２ｂ１と、中間部２ｂ１から上面２ａ側に向かって直角に折り曲げられた折曲部２ｂ３と、折曲部２ｂ３から上面２ａに向かって延びる延設部２ｂ４とを備える。延設部２ｂ４の先端面２ｂ４２は、上面２ａの延設部２ａ８と対向している。延設部２ｂ４には貫通孔２ｂ１１が形成される。
【００５２】
貫通孔２ｂ１１と貫通孔２ａ３１とには接合部材２３が設けられる。接合部材２３により相互に固定された上面２ａの延設部２ａ１０と右面２ｂの中間部２ｂ１とは、互いに面接触する。これにより上面２ａの延設部２ａ１０と右面２ｂの延設部２ｂ４との間に接触部２４が形成される。
【００５３】
上面２ａの延設部２ａ８と、右面２ｂの延設部２ｂ４の先端との間には、谷部２５が形成される。また上面２ａの延設部２ａ８と右面２ｂの延設部２ｂ４の先端面２ｂ４２との間には谷筋部４が形成される。谷部２５にはコーキング材６が設けられている。
【００５４】
このように図７に示す収納箱２−４では、谷筋部４が、２つ面の内の一方の面である上面２ａの折曲部２ａ９と、２つ面の内の他方の面である右面２ｂの先端面２ｂ４２との間に形成される。この構成により、図２に示す収納箱２と同様の効果が得られると共に、突出部を無くすことができる。鋼板の突出部には塗装が施されるが、突出部の塗装は、突出部以外の部分に施された塗装に比べて剥がれやすい。図７に示す収納箱２−４は、突出部を無くすことができるため、上面２ａの先端面は収納箱２−４の内部に配置され、右面２ｂの先端面２ｂ４２はコーキング材６に保護される。そのため収納箱２−４は、サビに対する腐食性を向上できる。
【００５５】
図８は実施の形態に係る収納箱の第５の変形例を示す図である。図８に示される収納箱２−５の上面２ａは、Ｘ軸方向に延びる中間部２ａ１と、中間部２ａ１から収納箱２−５の下側に向かって直角に折り曲げられた折曲部２ａ１４と、折曲部２ａ１４から収納箱２−５の下側に延設された延設部２ａ１２とを備える。延設部２ａ１２には、Ｘ軸方向に貫通する貫通孔２ａ３１が形成される。
【００５６】
収納箱２−５の右面２ｂは、Ｙ軸方向に延びる中間部２ｂ１と、中間部２ｂ１から上面２ａ側に向かって湾曲状に折り曲げられた折曲部２ｂ３と、折曲部２ｂ３から上面２ａに向かって延びる延設部２ｂ４と、延設部２ｂ４から収納箱２−５の下側に向かって直角に折り曲げられた折曲部２ｂ６と、折曲部２ｂ６から収納箱２−５の下側に向かって延びる延設部２ｂ７とを備える。延設部２ｂ７には貫通孔２ｂ１１が形成される。延設部２ｂ７は延設部２ａ１２と対向している。
【００５７】
上面２ａの延設部２ａ１２の先端部２ａ１３と、右面２ｂの延設部２ｂ７の先端部２ｂ８とは、収納箱２−５の内側に設けられる。また貫通孔２ａ３１と貫通孔２ｂ１１とは、収納箱２−５の内側に設けられる。貫通孔２ａ３１と貫通孔２ｂ１１とには接合部材２３が設けられる。接合部材２３により相互に固定された上面２ａの延設部２ａ１２と右面２ｂの延設部２ｂ７とは、互いに面接触する。これにより上面２ａの延設部２ａ１２と右面２ｂの延設部２ｂ７との間に接触部２４が形成される。
【００５８】
上面２ａの延設部２ａ１２と、右面２ｂの延設部２ｂ４との間には、谷部２５が形成される。谷筋部４は、谷部２５と接触部２４との間に形成される。谷部２５にはコーキング材６が設けられている。
【００５９】
以上に説明したように図８に示す収納箱２−５では、２つ面の内の一方の面である上面２ａの先端部と、２つ面の内の他方の面である右面２ｂの先端部とが、収納箱２−５の内部に設けられ、接合部は、収納箱２−５の内部に設けられ、上面２ａの先端部と右面２ｂの先端部とを接合する接合部材２３を備える。前述したように先端部は腐食に弱く、また接合部材２３は腐食に弱いため、図８に示す構造により、収納箱２−５のサビに対する腐食性を向上できる。
【００６０】
また、図２に示す収納箱２のように接合部材２３が収納箱２の外側に露出しており、接合部材２３がネジ固定又はリベット固定とされている場合、その部分はサビに対する腐食性が弱く、またその部分では、収納箱２の内部と外部との間の空気の出入りが発生し、収納箱２の気密性が低下する。特に収納箱２が塩害地域に設置される場合、収納箱２の気密性を向上させることで収納箱２の内部への海塩粒子の侵入を防止することが重要である。図８に示す収納箱２−５では、接合部材２３が収納箱２−５の内部に設けられているため、収納箱２−５の気密性が向上し、収納箱２−５の内部に設けられた電気回路の腐食性を向上できる。
【００６１】
図９は実施の形態に係る収納箱の第６の変形例を示す図である。図９に示される収納箱２−６の上面２ａは、Ｘ軸方向に延びる中間部２ａ１と、中間部２ａ１との成す角度が鈍角となるように折り曲げられた傾斜部２ａ１５と、傾斜部２ａ１５から収納箱２−６の下側に延設された延設部２ａ１２とを備える。延設部２ａ１２には、Ｘ軸方向に貫通する貫通孔２ａ３１が形成される。
【００６２】
収納箱２−６の右面２ｂは、Ｙ軸方向に延びる中間部２ｂ１と、中間部２ｂ１から上面２ａ側に向かって湾曲状に折り曲げられた折曲部２ｂ３と、折曲部２ｂ３から上面２ａに向かって延びる延設部２ｂ４と、延設部２ｂ４との成す角度が鈍角となるように折り曲げられた傾斜部２ｂ１３と、傾斜部２ｂ１３から収納箱２−６の下側に延設された延設部２ｂ７とを備える。延設部２ｂ７には貫通孔２ｂ１１が形成される。延設部２ｂ７は延設部２ａ１２と対向している。
【００６３】
上面２ａの延設部２ａ１２の先端部２ａ１３と、右面２ｂの延設部２ｂ７の先端部２ｂ８とは、収納箱２−６の内側に設けられる。また貫通孔２ａ３１と貫通孔２ｂ１１とは、収納箱２−６の内側に設けられる。貫通孔２ａ３１と貫通孔２ｂ１１とには接合部材２３が設けられる。接合部材２３により相互に固定された上面２ａの延設部２ａ１２と右面２ｂの延設部２ｂ７とは、互いに面接触する。これにより上面２ａの延設部２ａ１２と右面２ｂの延設部２ｂ７との間に接触部２４が形成される。
【００６４】
上面２ａの傾斜部２ａ１５と、右面２ｂの傾斜部２ｂ１３との間には、谷部２５が形成される。谷筋部４は、谷部２５と接触部２４との間に形成される。谷部２５にはコーキング材６が設けられている。
【００６５】
収納箱２−６では、図８に示す収納箱２−５と同様の効果が得られると共に、上面２ａ及び右面２ｂのそれぞれの外側面において、直角又は突形状の突起を無くすことができる。そのため収納箱２−６の意匠性が向上する。
【００６６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６７】
１  箱型筐体、２，２−１，２−２，２−３，２−４，２−５，２−６  収納箱、２ａ  上面、２ａ１，２ｂ１  中間部、２ａ１０，２ａ１２，２ａ３，２ａ７，２ａ８，２ｂ４，２ｂ７  延設部、２ａ１３，２ａ３２，２ａ５，２ｂ１２，２ｂ８  先端部、２ａ１４，２ａ２，２ａ９，２ｂ３，２ｂ６  折曲部、２ａ６，２ａ１５，２ｂ１３  傾斜部、２ａ３１，２ｂ１１  貫通孔、２ａ４，２ｂ２，２ｂ５  突出部、２ｂ  右面、２ｂ４２  先端面、２ｃ  下面、２ｄ  左面、２ｅ  背面、３  蓋、４  谷筋部、６  コーキング材、９  コーキング材塗布用ノズル、９ａ  先端、２０  開口部、２１  接合部、２２  嵌合部、２３  接合部材、２４  接触部、２５  谷部。
【図１】
2018110195.tif 000003
【図２】
2018110195.tif 000004
【図３】
2018110195.tif 000005
【図４】
2018110195.tif 000006
【図５】
2018110195.tif 000007
【図６】
2018110195.tif 000008
【図７】
2018110195.tif 000009
【図８】
2018110195.tif 000010
【図９】
2018110195.tif 000011